【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている上方に延びる部分を含む、背もたれ支持構造体；
背もたれシェル部材であって、概ね前方に面するとともに着座した使用者の背中を支持するように構成されている背中支持面を含み、第３の回動点を中心に回転するように前記背もたれ支持構造体の前記上方に延びる部分に回動可能に連結されている上側部分、及び下側部分を有し、メッシュカバーによって覆われる、背もたれシェル部材；並びに
第４の回動点を中心に回転するように前記背中支持面の前記下側部分に回動可能に連結されているとともに、第５の回動点を中心に回転するように前記座部支持構造体に回動可能に連結されている背もたれリンクであって、前記背中支持面は、前記背もたれ支持構造体が前記直立位置から前記リクライニング位置に移動すると前記背もたれ支持構造体の直立部分に対して前記背もたれリンクによって前方に移動する、背もたれリンク
を備える、椅子組立体。
【請求項２】
前記背もたれシェル部材は、その長さに沿って前後方向に可撓性である、請求項１に記載の椅子組立体。
【請求項３】
前記カバーは、少なくとも３：１の長手方向伸展性対横方向伸展性の比を有する弾性材料を含む、請求項１又は２に記載の椅子組立体。
【請求項４】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項１〜３のいずれか一項に記載の椅子組立体。
【請求項５】
前記カバーは前記背もたれシェル部材にわたって伸張する、請求項４に記載の椅子組立体。
【請求項６】
前記背中支持面及び前記背もたれ支持構造体の少なくとも一部は、該背もたれ支持構造体の前記直立位置から前記リクライニング位置への移動中に変化する距離を間に画定する、請求項４又は５に記載の椅子組立体。
【請求項７】
前記背もたれ支持構造体の前記上方に延びる部分は実質的に剛性であり、前記距離を画定する前記背中支持面の前記一部は、前記背もたれ支持構造体よりも大幅に低い剛性である、請求項６に記載の椅子組立体。
【請求項８】
前記背もたれシェル部材は、或る曲率を画定する前方に湾曲する下側腰部部分を含み、前記曲率は、前記背もたれ支持構造体が前記直立位置から前記リクライニング位置に移動するにつれて増大する、請求項１〜７のいずれか一項に記載の椅子支持体。
【請求項９】
前記背もたれ支持構造体と前記背もたれ支持組立体との間の動作可能な接続部は、前記背もたれ支持構造体の前記上方に延びる部分への前記背もたれシェル部材の回動接続部を含む、請求項８に記載の椅子支持体。
【請求項１０】
椅子組立体であって：
ベース構造体；
前記ベース構造体に動作可能に連結されている座部支持構造体であって、着座した使用者をその上で支持するように構成されている座部支持面を含む、座部支持構造体；
前記ベース構造体に動作可能に連結されている背もたれ支持構造体であって、直立位置とリクライニング位置との間で移動するようになっている、背もたれ支持構造体；
背もたれシェル部材であって、概ね前方に面するとともに着座した使用者の背中を支持するように構成されている背中支持面を含み、第１の背もたれ支持回動点を中心に回転するように前記背もたれ支持構造体に回動可能に連結されており、メッシュカバーによって覆われる、背もたれシェル部材；並びに
第２の背もたれ支持回動点を中心に回転するように前記背中支持面に回動可能に連結されているとともに、前記座部支持構造体に動作可能に連結されている背もたれリンクであって、前記第１の背もたれ支持回動点と前記第２の背もたれ支持回動点との間の距離は、前記背もたれ支持構造体が前記直立位置から前記リクライニング位置に移動するにつれて低減し、前記背もたれ支持構造体が前記リクライニング位置から前記直立位置に移動するにつれて増大する、背もたれリンク
を備える、椅子組立体。
【請求項１１】
前記背もたれシェル部材は、その長さに沿って前後方向に可撓性である、請求項１０に記載の椅子組立体。
【請求項１２】
前記カバーは、少なくとも比率３：１の長手方向伸展性対横方向伸展性を有する弾性材料を含む、請求項１０又は１１に記載の椅子組立体。
【請求項１３】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項１０〜１２のいずれか一項に記載の椅子組立体。
【請求項１４】
前記カバーは前記背もたれシェル部材にわたって伸張する、請求項１０〜１３のいずれか一項に記載の椅子組立体。
【請求項１５】
前記背もたれリンクは、座部支持回動点を中心に前記座部支持構造体に回動可能に連結されており、前記第２の背もたれ支持回動点は、前記背もたれ支持構造体が前記直立位置から前記リクライニング位置に移動するときに前記座部支持回動点に対して移動しない、請求項１０〜１４のいずれか一項に記載の椅子組立体。
【請求項１６】
前記背中支持面は、前記背もたれ支持構造体が前記直立位置から前記リクライニング位置に移動すると前記背もたれ支持構造体の少なくとも一部に対して前記背もたれリンクによって前方に移動する、請求項１０〜１５のいずれか一項に記載の椅子組立体。
【請求項１７】
前記椅子組立体は、前記座部支持構造体に動作可能に連結されている第１の端、及び、前記背もたれ支持構造体に動作可能に連結されている第２の端を有する制御リンクを更に備え、該制御リンクは、前記背もたれ支持構造体が前記直立位置から前記リクライニング位置に移動すると、前記背もたれ支持構造体のリクライニング速さよりも遅いリクライニング速さで前記座部支持構造体をリクライニングさせる、請求項１０〜１６のいずれか一項に記載の椅子組立体。
【請求項１８】
椅子組立体であって：
ベース構造体；
第１の回動点を中心に回転するように前記ベース構造体に回動可能に連結されている座部支持構造体であって、着座した使用者をその上で支持するように構成されている座部支持面を含む、座部支持構造体；
第２の回動点を中心に回転するように前記ベース構造体に回動可能に連結されている背もたれ支持構造体であって、直立位置とリクライニング位置との間で移動するようになっている、背もたれ支持構造体；
背もたれ支持組立体であって、概ね前方に面するとともに着座した使用者の背中を支持するように構成されている可撓性の背もたれシェル部材を含み、前記背もたれ支持構造体に動作可能に連結されており、前記背もたれシェル部材はメッシュカバーによって覆われる、背もたれ支持組立体；並びに
背中支持面の下側部分に動作可能に連結されているとともに前記座部支持構造体に動作可能に連結されている背もたれリンクであって、前記可撓性の背もたれ支持組立体は、前記背もたれ支持構造体が前記直立位置から前記リクライニング位置に移動するとその長さに沿って撓む、背もたれリンク
を備える、椅子組立体。
【請求項１９】
前記背もたれシェル部材は、その長さに沿って前後方向に可撓性である、請求項１８に記載の椅子組立体。
【請求項２０】
前記カバーは、少なくとも３：１の長手方向伸展性対横方向伸展性の比を有する弾性材料を含む、請求項１８又は１９に記載の椅子組立体。
【請求項２１】
複数の側部、及び、該側部と空間を置く複数の角部を有するリング部材であって、前記側部のうちの少なくとも１つは、該側部のうちの少なくとも１つが該側部のうちの少なくとも１つの長手方向軸に沿って前記カバーとともに回転するように固定されるよう、前記カバーの前記第１の面に固定され、前記角部のうちの少なくとも１つは、該角部のうちの少なくとも１つが該角部のうちの少なくとも１つに対して接線方向の線に沿って前記カバーとともに回転するように自由であるよう、前記カバーの前記第１の面に固定され、該リング部材は前記背もたれシェル部材に固定される、リング部材を更に含む、請求項１８〜２０のいずれか一項に記載の椅子組立体。
【請求項２２】
前記カバーは前記背もたれシェル部材にわたって伸張する、請求項１８〜２０のいずれか一項に記載の椅子組立体。
【請求項２３】
前記背もたれ支持組立体は、前記背もたれ支持構造体が前記直立位置から前記リクライニング位置に移動すると、前記背もたれ支持構造体の少なくとも一部に対して前記背もたれリンクによって前方に移動する、請求項１８〜２０又は請求項２２のいずれか一項に記載の椅子組立体。
【請求項２４】
前記背もたれシェル部材は、或る曲率を画定する前方に湾曲する下側腰部部分を含み、前記曲率は、前記背もたれ支持構造体が前記直立位置から前記リクライニング位置に移動するにつれて低減する、請求項１８〜２０又は請求項２２及び２３のいずれか一項に記載の椅子支持体。
【請求項２５】
前記背もたれ支持構造体と前記背もたれ支持組立体との間の動作可能な接続部は、前記背もたれ支持構造体への前記背もたれシェル部材の回動接続部を含む、請求項２４に記載の椅子支持体。
【請求項２６】
前記座部支持構造体は前部及び後部を含み、前記背もたれ支持構造体は前部及び後部を含み、前記第１の回動点は、前記座部支持構造体の前記前部に位置し、前記第２の回動点は、前記背もたれ支持構造体の前記前部に位置する、請求項１８〜２０又は請求項２２〜２５のいずれか一項に記載の椅子組立体。
【請求項２７】
前記背もたれ支持構造体は概ねＬ字形であり、前記背もたれ支持構造体は、上方に延びる部分から前方に延びる下側部分を含む、請求項１８〜２０又は請求項２２〜２６のいずれか一項に記載の椅子組立体。
【請求項２８】
前記背もたれ支持構造体が前記直立位置から前記リクライニング位置に移動するときの前記座部支持構造体のリクライニング速さは、前記背もたれ支持構造体が前記直立位置から前記リクライニング位置に移動するときの前記背もたれ支持構造体のリクライニング速さよりも遅い、請求項１８〜２０又は請求項２２〜２７のいずれか一項に記載の椅子組立体。
【手続補正２】
【補正対象書類名】明細書
【補正対象項目名】００３２
【補正方法】変更
【補正の内容】
【００３２】
次に、腰部組立体２４６が、カバー組立体３００、クッション部材２９６及び快適部材２４４の組立体と位置合わせされ、それによって、腰部組立体２４６の本体部分２７２がカバー組立体３００の中央部３１２付近に位置付けられ、腰部組立体２４６の支持部分２７４が上述したように快適部材２４４と連結される。次に、フラップ部分３１０が腰部組立体２４６にわたって折り重ねられることで、内部スペース３５０を有する第２のポケット３４８が生じる。フラップ部分３１０の遠位に位置する縁３５２は、フック３２４を貫通させて受け入れるフラップ部分３１０を用いて複数の孔３５４によって快適部材２４４に取り付けられる。遠位縁３５２も、カバー組立体３００の後側３０４に縫い付けることができる。図示の例では、フラップ部分３１０の側縁３５６はカバー組立体３００の残りの部分には取り付けられておらず、それによって、側縁３５６はカバー組立体３００の残りの部分と協働し、腰部組立体２４６のハンドル部分２９０が伸び出て通るスロット３６０を形成する。第２のポケット３４８は、腰部組立体２４６を内部で鉛直方向に調整可能であるように構成されている。カバー組立体３００、クッション部材２９６、快適部材２４４及び腰部組立体２４６の組立体は、次に、背もたれシェル１６４に取り付けられる。
【手続補正３】
【補正対象書類名】明細書
【補正対象項目名】００３６
【補正方法】変更
【補正の内容】
【００３６】
参照符号１０ａ（図３１及び図３２）は、全体的に本発明の別の実施形態を示す。椅子組立体１０ｂは前述した椅子組立体１０と同様であるため、図１〜図３０及び図３１〜図３４において見られる同様の部分は、参照符号の数字の接尾辞「ｂ」を除いて、それぞれ同じ対応する参照符号によって表される。椅子組立体１０ｂは、前述したような椅子組立体１０と構成及び組み立てが同様であり、最も注目すべき例外は背もたれ組立体１８ｂの構造である。
【手続補正４】
【補正対象書類名】明細書
【補正対象項目名】００４０
【補正方法】変更
【補正の内容】
【００４０】
座部組立体１６及び背もたれ組立体１８は、制御組立体１４（図３６）及び制御入力組立体６０４に動作可能に連結されて制御組立体１４及び制御入力組立体６０４によって制御される。制御組立体１４（図３７〜図３９）は、互いに一体的に形成されて上方に開口する内部スペース６１６を形成するように協働する、前壁６０８、後壁６１０、一対の側壁６１２及び底壁６１４を含む、ハウジング又はベース構造体又は接地構造体６０６を含む。底壁６１４は、シリンダ組立体２８（図３）を貫通させて受け入れるように内部に中央に配置される孔６１８を含む。ベース構造体６０６は、上側かつ前方の回動点６２０、下側かつ前方の回動点６２２、及び上側かつ後方の回動点６２４を更に画定し、制御組立体１４は、座部組立体１６を支持する座部支持構造体６２６を更に含む。図示の例では、座部支持構造体６２６は、上側かつ前方の回動点６２０を中心とした回動のために回動軸６３２によってベース構造体６０６に回動可能に固定される、前方に位置する回動孔６３０をそれぞれ含む一対の前方に延びるアーム部分６２８を含む概ねＵ字形の平面的な形状の形態を有する。座部支持構造体６２６は、アーム部分６２８間に横方向に延びるとともに、アーム部分６２８と協働して、ベース構造体６０６が受け入れられる内部スペース６３６を形成する後部６３４を更に含む。後部６３４は、アーム組立体２０へ取り付けられる一対の後方に延びるアーム取り付け部分６３８を含む。座部支持構造体６２６は、制御入力組立体６０４が取り付けられる、制御入力組立体取り付け部分６４０を更に含む。座部支持構造体６２６は、協働して回動点６４４を画定する一対のブシュ組立体６４２を更に含む。
【手続補正５】
【補正対象書類名】明細書
【補正対象項目名】００４２
【補正方法】変更
【補正の内容】
【００４２】
制御組立体１４は、回動点６４４を中心に回動するように一対の回動ピン６６８によって座部支持構造体６２６に回動可能に連結される第１の端６６４、及び、回動点６６０を中心に回動するように一対の回動ピン６７２によって背もたれ支持構造体６４６の対応する回動孔６５８に回動可能に連結される第２の端６７０をそれぞれ有する、複数の制御リンク６６２を更に含む。動作時に、制御リンク６６２は、動き、具体的には、椅子組立体が後述するようにリクライニング位置に移動するときの背もたれ支持構造体６４６に対する座部支持構造体６２６のリクライニング速さを制御する。
【手続補正６】
【補正対象書類名】明細書
【補正対象項目名】００４５
【補正方法】変更
【補正の内容】
【００４５】
動作時に、制御組立体１４の四節回転機構組立体は、背もたれ組立体１８が直立位置Ｅからリクライニング位置Ｆに移動すると、座部組立体１６を直立位置Ｇからリクライニング位置Ｈにリクライニングさせるように協働する。具体的には、制御リンク６６２は、背もたれ支持構造体６４６が第２の回動点６２２を中心に回動すると、座部支持構造体６２６を第１の回動点６２０を中心に回転させるように構成されているとともに、座部支持構造体６２６及び背もたれ支持構造体６４６に連結されている。好ましくは、座部支持構造体６４６は、第２の回動点６２２を中心とする背もたれ支持構造体６４６の回転の速さの約１／３〜約２／３で第１の回動点６２０を中心に回転し、より好ましくは、座部支持構造体は、第２の回動点６２２を中心とする背もたれ支持構造体６４６の回転の速さの約半分で第１の回動点６２０を中心に回転し、最も好ましくは、座部組立体１６は、完全に直立した位置Ｇから完全にリクライニングした位置Ｈに約９°の角度βだけリクライニングし、一方で、背もたれ組立体１８は、完全に直立した位置Ｅから完全にリクライニングした位置Ｆに約１８°の角度αだけリクライニングする。
【手続補正７】
【補正対象書類名】明細書
【補正対象項目名】００４６
【補正方法】変更
【補正の内容】
【００４６】
図４１に最も良く示されているように、第１の回動点６２０は、椅子組立体１０が完全に直立した位置にあるときは第２の回動点６２２の上及び前方に位置し、椅子組立体１０がリクライニングすると、椅子組立体１０が完全にリクライニングした位置にあるときは、ベース構造体６０６は支持床面１３に対して固定されたままである。第３の回動点６４４は、椅子組立体１０のリクライニング移動を通じて第１の回動点６２０の相対的な鉛直高さの後ろ及び下方に留まる。さらに、第１の回動点６２０と第２の回動点６２２との間の距離は、椅子組立体１０のリクライニング移動を通じて、第３の回動点６４４と第４の回動点６６０との間の距離よりも長いことが留意される。図４２に最も良く示されているように、制御リンク６６２の長手方向に延びる中心線軸６８８は、椅子組立体１０が完全に直立した位置にあるときは座部支持構造体６２６と鋭角αを形成し、椅子組立体１０が完全にリクライニングした位置にあるときは鋭角α'を形成する。なお、制御リンク６６２の中心線軸６８８は、椅子組立体１０がその完全に直立した位置と完全にリクライニングした位置との間で移動するときに、座部支持構造体６２６との直交する位置合わせを通過して回転しない。
【手続補正８】
【補正対象書類名】明細書
【補正対象項目名】００５０
【補正方法】変更
【補正の内容】
【００５０】
上記で説明したように、腰部組立体２４６の位置は鉛直方向に調整可能である。腰部組立体２４６の鉛直方向の調整によって、椅子の背もたれをリクライニングする間に背もたれシェル１６４が撓む／湾曲するやり方も調整される。図４３では、腰部組立体１８２は、中間又は中立位置に調整されており、それによって、背もたれシェル１６４の腰部部分２４６の曲率も中間又は中立にある。図４４を更に参照すると、腰部組立体２４６の鉛直位置が調整される場合、角度φが減り、腰部領域１８２の曲率が低下する。図４４に示されているように、これによって、角度φ１も大きくもなり、背もたれシェル１６４の全体的な形状が比較的平坦になる。
【手続補正９】
【補正対象書類名】明細書
【補正対象項目名】００５４
【補正方法】変更
【補正の内容】
【００５４】
上記で説明したように、図４４は、シェル１６４の腰部領域１８２が平坦な位置に調整された状態の、直立位置にある椅子の背もたれを示している。椅子の背もたれが図４４の位置から図４６の位置に傾けられると、背もたれ制御リンク６００及びカムリンク６９４の双方が時計回り方向に回転する。しかし、カムリンク６９４は幾分より速い速さで回転し、したがって、角度φは３１．４°から３５．９°に変化する。距離Ｄは、２０２ｍｍから２６５ｍｍに変化し、角度φ１は２４．２°から２４．１°に変化する。
【手続補正１０】
【補正対象書類名】明細書
【補正対象項目名】００５８
【補正方法】変更
【補正の内容】
【００５８】
上記の記載では、概念が開示されるときにこの概念から逸脱することなく本発明に対して変更を行うことができることが当業者には容易に理解されるであろう。そのような変更は、以下の特許請求の範囲においてそれらの文言によって別途明記されない限り、それらの特許請求の範囲に含まれるものとみなされるべきである。